(57)【要約】  【課題】  保険契約期間中の被保険者の行動に係る情報を客観的に証明することができる情報記憶方法、被保険者位置情報記憶方法、情報記憶システム及びプログラムを提供する。  【解決手段】  携帯電話（携帯型情報処理装置）１は、保険契約に応じた報告プログラム（プログラム）２０を保険契約サーバ装置（送信装置）２からダウンロードし、報告プログラム２０に従って、携帯電話１の位置を随時検出して位置情報を生成し、位置情報及び日時を示す日時情報を報告記憶装置（記憶装置）３へ送信し、報告記憶装置３は位置情報及び日時情報を互いに関連付けて記憶する。日時が保険契約期間の終了日時となった場合は、携帯電話１は、位置情報及び日時情報の生成並びに送信を停止する。これにより、携帯電話１の使用者である被保険者が保険契約期間中にいつどこにいたかの情報を記録することができる。【選択図】        図１
2006318307.tif 000002
【特許請求の範囲】
【請求項１】
通信手段、計時手段及び位置を検出する位置検出手段を有する携帯型情報処理装置と、情報を記憶する記憶装置とを用いて、前記携帯型情報処理装置の位置を示す位置情報を前記記憶装置で記憶する情報記憶方法において、
前記携帯型情報処理装置は、
随時、前記位置検出手段が検出した位置を示す位置情報を生成し、
生成した位置情報を前記通信手段で前記記憶装置へ送信し、
前記計時手段が計時する日時が予め定められた終了日時となった場合に、前記位置情報の生成及び送信を停止し、
前記記憶装置は、
前記携帯型情報処理装置から送信される前記位置情報を受信し、
前記位置情報の生成に係る日時を示す日時情報を取得し、
前記位置情報及び前記日時情報を互いに関連付けて記憶すること
を特徴とする情報記憶方法。
【請求項２】
通信手段、計時手段及び位置を検出する位置検出手段を有する携帯型情報処理装置と、情報を記憶する記憶装置とを用いて、保険契約期間中の前記携帯型情報処理装置を使用する被保険者の位置を示す位置情報を前記記憶装置で記憶する方法において、
前記携帯型情報処理装置は、
保険契約に応じて、保険契約期間の開始日時及び終了日時の情報を含むプログラムをダウンロードし、
ダウンロードした前記プログラムを記憶し、
前記プログラムに従って、前記計時手段が計時した日時が前記開始日時となった以降に、随時、前記位置検出手段が検出した位置を示す位置情報を生成し、
前記プログラムに従って、前記計時手段が計時した、位置情報の生成に係る日時を示す日時情報を生成し、
前記プログラムに従って、生成した位置情報及び日時情報を前記通信手段で前記記憶装置へ送信し、
前記プログラムに従って、前記計時手段が計時する日時が予め定められた終了日時となった場合に、前記プログラムに従った位置情報及び日時情報の生成並びに送信を停止し、
前記記憶装置は、
前記携帯型情報処理装置から送信される前記位置情報及び前記日時情報を受信し、
受信した前記位置情報及び前記日時情報を互いに関連付けて記憶すること
を特徴とする被保険者位置情報記憶方法。
【請求項３】
通信手段、計時手段及び位置を検出する位置検出手段を有する携帯型情報処理装置と、情報を記憶する記憶装置とを備える情報記憶システムにおいて、
前記携帯型情報処理装置は、
所定のプログラムを記憶するプログラム記憶手段と、
前記プログラムに従って、随時、前記位置検出手段が検出した位置を示す位置情報を生成する位置情報生成手段と、
前記プログラムに従って、生成した位置情報を前記通信手段で前記プログラムに対応する前記記憶装置へ送信する送信手段と、
前記プログラムに従って、前記計時手段が計時する日時が予め定められた終了日時となった場合に、前記位置情報生成手段及び前記送信手段の動作を停止する手段とを有し、
前記記憶装置は、
前記携帯型情報処理装置から送信される前記位置情報を受信する手段と、
前記位置情報の生成に係る日時を示す日時情報を取得する手段と、
前記位置情報及び前記日時情報を互いに関連付けて記憶する手段と
を有することを特徴とする情報記憶システム。
【請求項４】
通信手段、計時手段及び位置を検出する位置検出手段を有する携帯型情報処理装置と、情報を記憶する記憶装置とを備える情報記憶システムにおいて、
前記携帯型情報処理装置は、
所定のプログラムを記憶するプログラム記憶手段と、
前記プログラムに従って、随時、前記位置検出手段が検出した位置を示す位置情報を生成する位置情報生成手段と、
前記プログラムに従って、前記計時手段が計時した、位置情報の生成に係る日時を示す日時情報を生成する日時情報生成手段と、
前記プログラムに従って、生成した位置情報及び日時情報を前記通信手段で前記プログラムに対応する前記記憶装置へ送信する送信手段と、
前記プログラムに従って、前記計時手段が計時する日時が予め定められた終了日時となった場合に、前記位置情報生成手段、前記日時情報生成手段及び前記送信手段の動作を停止する手段とを有し、
前記記憶装置は、
前記携帯型情報処理装置から送信される前記位置情報及び前記日時情報を受信する手段と、
該手段が受信した前記位置情報及び前記日時情報を互いに関連付けて記憶する手段と
を有することを特徴とする情報記憶システム。
【請求項５】
前記プログラムは、前記携帯型情報処理装置に前記位置情報生成手段及び前記送信手段を動作させる開始日時及び前記終了日時の情報を含んでおり、
必要に応じた内容の前記開始日時及び前記終了日時を前記プログラムに含ませた上で、前記携帯型情報処理装置へ前記プログラムを送信する送信装置を更に備え、
前記携帯型情報処理装置は、
前記通信手段で受信した前記プログラムを前記プログラム記憶手段に記憶させる手段と、
前記プログラムに従って、前記計時手段が計時する日時が前記開始日時となった場合に、前記位置情報生成手段及び前記送信手段の動作を開始させる手段と
を更に有することを特徴とする請求項３又は４に記載の情報記憶システム。
【請求項６】
前記携帯型情報処理装置は、
情報を表示する表示手段と、
前記プログラムに従って、前記計時手段が計時する日時が前記開始日時から前記終了日時までの期間に含まれる間は、日時が前記期間に含まれていることを示す情報を前記表示手段に表示させる手段と
を更に有することを特徴とする請求項５に記載の情報記憶システム。
【請求項７】
日時を計時する計時装置を更に備え、
該計時装置は、計時した日時を示す基準日時情報を前記携帯型情報処理装置へ随時送信する手段を有し、
前記携帯型情報処理装置は、
前記プログラムに従って、前記計時手段が計時する日時を、前記通信手段で受信した前記基準日時情報が示す日時に同期させる手段を更に有すること
を特徴とする請求項３乃至６のいずれか一つに記載の情報記憶システム。
【請求項８】
前記携帯型情報処理装置は、
前記プログラムに従って、前記計時手段が計時する日時から前記終了日時までの期間の長さが所定値以下となった場合に、前記終了日時に係る情報を報知する手段と、
前記プログラムに従って、前記終了日時を延長することの指示を受け付ける手段と、
前記プログラムに従って、前記指示に応じて前記終了日時を延長する手段と
を更に備えることを特徴とする請求項３乃至７のいずれか一つに記載の情報記憶システム。
【請求項９】
通信手段、計時手段及び位置を検出する位置検出手段を有する携帯型情報処理装置に、処理を実行させるプログラムにおいて、
前記携帯型情報処理装置に、前記計時手段が計時する日時が予め定められた終了日時となったか否かを判定させる手順と、
前記携帯型情報処理装置に、前記計時手段が計時する日時が前記終了日時となった場合に、随時前記位置検出手段が検出した位置を示す位置情報を生成する処理、及び生成した位置情報を外部へ送信する処理を停止させる手順と
を含むことを特徴とするプログラム。
【請求項１０】
通信手段、計時手段及び位置を検出する位置検出手段を有する携帯型情報処理装置に、処理を実行させるプログラムにおいて、
前記携帯型情報処理装置に、前記計時手段が計時する日時が予め定められた終了日時となったか否かを判定させる手順と、
前記携帯型情報処理装置に、前記計時手段が計時する日時が前記終了日時となった場合に、随時前記位置検出手段が検出した位置を示す位置情報を生成する処理、前記計時手段が計時した、位置情報の生成に係る日時を示す日時情報を生成する処理、並びに生成した位置情報及び日時情報を外部へ送信する処理を停止させる手順と
を含むことを特徴とするプログラム。
【請求項１１】
前記携帯型情報処理装置に、前記計時手段が計時する日時が予め定められた開始日時となった場合に、前記位置情報を生成する処理、及び生成した前記位置情報を外部へ送信する処理を開始させる手順を更に含むことを特徴とする請求項９又は１０に記載のプログラム。
【請求項１２】
情報を表示する表示手段を備える前記携帯型情報処理装置に、前記計時手段が計時する日時が前記開始日時から前記終了日時までの期間に含まれる間は、日時が前記期間に含まれていることを示す情報を前記表示手段で表示させる手順を更に含むことを特徴とする請求項１１に記載のプログラム。
【請求項１３】
前記携帯型情報処理装置に、外部で計時された日時を示す基準日時情報を前記携帯型情報処理装置が前記通信手段で受信した場合に、前記計時手段が計時する日時を前記基準日時情報が示す日時に同期させる手順を更に含むことを特徴とする請求項９乃至１２のいずれか一つに記載のプログラム。
【請求項１４】
前記携帯型情報処理装置に、前記計時手段が計時する日時から前記終了日時までの期間の長さが所定値以下となった場合に、前記終了日時に係る情報を報知させる手順と、
前記携帯型情報処理装置に、前記終了日時を延長することの指示を受け付け可能にさせる手順と、
前記携帯型情報処理装置に、前記携帯型情報処理装置が前記指示を受け付けた場合に、前記終了日時を延長させる手順と
を更に含むことを特徴とする請求項９乃至１３のいずれか一つに記載のプログラム。
【発明の詳細な説明】
【技術分野】
【０００１】
本発明は、保険契約期間中の被保険者の位置を携帯型情報処理装置を用いて記憶するための情報記憶方法、被保険者位置情報記憶方法、情報記憶システム、及びプログラムに関する。
【背景技術】
【０００２】
従来、保険業では、種々の保険が考案されている。特に、旅行中のけが又は病気に対する補償を行う旅行保険、スポーツ中の事故に対する補償を行うスポーツ傷害保険、自動車の運転中の事故による損害又は賠償に対する補償を行う自動車保険、物品の損傷又は盗難に対する補償を行う保険等では、被保険者の個々の事情に応じて補償内容及び保険期間等の条件を細分化して定めることができれば、被保険者にとって利用しやすい保険となる。被保険者が必要なときに保険内容を細かく設定して必要なだけの内容の保険を契約することができる技術として、特許文献１では、携帯電話又はＰＤＡ（Personal Digital Assistant）等の通信機能を備える携帯型情報処理装置を用いて随時自由に保険契約を行うことができる技術が開示されている。
【特許文献１】特開２００３−５０９１４号公報
【発明の開示】
【発明が解決しようとする課題】
【０００３】
被保険者が保険契約に定められた損害を被った場合、実際に補償を受けるためには被った損害を証明する必要がある。例えば旅行保険により事故の補償を受ける場合は、実際には旅行に行かずに事故にあった場合等を除外すべく、確かに旅行先で事故にあったことを証明する必要がある。現実にはこのような証明が困難である事例も多く、また必要な手続きが煩雑であるという問題がある。
【０００４】
本発明は、斯かる事情に鑑みてなされたものであって、その目的とするところは、携帯型情報処理装置を用いて、保険契約期間中の被保険者の行動に係る情報を客観的に証明することができる情報記憶方法、被保険者位置情報記憶方法、情報記憶システム及びプログラムを提供することにある。
【課題を解決するための手段】
【０００５】
第１発明に係る情報記憶方法は、通信手段、計時手段及び位置を検出する位置検出手段を有する携帯型情報処理装置と、情報を記憶する記憶装置とを用いて、前記携帯型情報処理装置の位置を示す位置情報を前記記憶装置で記憶する情報記憶方法において、前記携帯型情報処理装置は、随時、前記位置検出手段が検出した位置を示す位置情報を生成し、生成した位置情報を前記通信手段で前記記憶装置へ送信し、前記計時手段が計時する日時が予め定められた終了日時となった場合に、前記位置情報の生成及び送信を停止し、前記記憶装置は、前記携帯型情報処理装置から送信される前記位置情報を受信し、前記位置情報の生成に係る日時を示す日時情報を取得し、前記位置情報及び前記日時情報を互いに関連付けて記憶することを特徴とする。
【０００６】
第２発明に係る被保険者位置情報記憶方法は、通信手段、計時手段及び位置を検出する位置検出手段を有する携帯型情報処理装置と、情報を記憶する記憶装置とを用いて、保険契約期間中の前記携帯型情報処理装置を使用する被保険者の位置を示す位置情報を前記記憶装置で記憶する方法において、前記携帯型情報処理装置は、保険契約に応じて、保険契約期間の開始日時及び終了日時の情報を含むプログラムをダウンロードし、ダウンロードした前記プログラムを記憶し、前記プログラムに従って、前記計時手段が計時した日時が前記開始日時となった以降に、随時、前記位置検出手段が検出した位置を示す位置情報を生成し、前記プログラムに従って、前記計時手段が計時した、位置情報の生成に係る日時を示す日時情報を生成し、前記プログラムに従って、生成した位置情報及び日時情報を前記通信手段で前記記憶装置へ送信し、前記プログラムに従って、前記計時手段が計時する日時が予め定められた終了日時となった場合に、前記プログラムに従った位置情報及び日時情報の生成並びに送信を停止し、前記記憶装置は、前記携帯型情報処理装置から送信される前記位置情報及び前記日時情報を受信し、受信した前記位置情報及び前記日時情報を互いに関連付けて記憶することを特徴とする。
【０００７】
第３発明に係る情報記憶システムは、通信手段、計時手段及び位置を検出する位置検出手段を有する携帯型情報処理装置と、情報を記憶する記憶装置とを備える情報記憶システムにおいて、前記携帯型情報処理装置は、所定のプログラムを記憶するプログラム記憶手段と、前記プログラムに従って、随時、前記位置検出手段が検出した位置を示す位置情報を生成する位置情報生成手段と、前記プログラムに従って、生成した位置情報を前記通信手段で前記プログラムに対応する前記記憶装置へ送信する送信手段と、前記プログラムに従って、前記計時手段が計時する日時が予め定められた終了日時となった場合に、前記位置情報生成手段及び前記送信手段の動作を停止する手段とを有し、前記記憶装置は、前記携帯型情報処理装置から送信される前記位置情報を受信する手段と、前記位置情報の生成に係る日時を示す日時情報を取得する手段と、前記位置情報及び前記日時情報を互いに関連付けて記憶する手段とを有することを特徴とする。
【０００８】
第４発明に係る情報記憶システムは、通信手段、計時手段及び位置を検出する位置検出手段を有する携帯型情報処理装置と、情報を記憶する記憶装置とを備える情報記憶システムにおいて、前記携帯型情報処理装置は、所定のプログラムを記憶するプログラム記憶手段と、前記プログラムに従って、随時、前記位置検出手段が検出した位置を示す位置情報を生成する位置情報生成手段と、前記プログラムに従って、前記計時手段が計時した、位置情報の生成に係る日時を示す日時情報を生成する日時情報生成手段と、前記プログラムに従って、生成した位置情報及び日時情報を前記通信手段で前記プログラムに対応する前記記憶装置へ送信する送信手段と、前記プログラムに従って、前記計時手段が計時する日時が予め定められた終了日時となった場合に、前記位置情報生成手段、前記日時情報生成手段及び前記送信手段の動作を停止する手段とを有し、前記記憶装置は、前記携帯型情報処理装置から送信される前記位置情報及び前記日時情報を受信する手段と、該手段が受信した前記位置情報及び前記日時情報を互いに関連付けて記憶する手段とを有することを特徴とする。
【０００９】
第５発明に係る情報記憶システムは、前記プログラムは、前記携帯型情報処理装置に前記位置情報生成手段及び前記送信手段を動作させる開始日時及び前記終了日時の情報を含んでおり、必要に応じた内容の前記開始日時及び前記終了日時を前記プログラムに含ませた上で、前記携帯型情報処理装置へ前記プログラムを送信する送信装置を更に備え、前記携帯型情報処理装置は、前記通信手段で受信した前記プログラムを前記プログラム記憶手段に記憶させる手段と、前記プログラムに従って、前記計時手段が計時する日時が前記開始日時となった場合に、前記位置情報生成手段及び前記送信手段の動作を開始させる手段とを更に有することを特徴とする。
【００１０】
第６発明に係る情報記憶システムは、前記携帯型情報処理装置は、情報を表示する表示手段と、前記プログラムに従って、前記計時手段が計時する日時が前記開始日時から前記終了日時までの期間に含まれる間は、日時が前記期間に含まれていることを示す情報を前記表示手段に表示させる手段とを更に有することを特徴とする。
【００１１】
第７発明に係る情報記憶システムは、日時を計時する計時装置を更に備え、該計時装置は、計時した日時を示す基準日時情報を前記携帯型情報処理装置へ随時送信する手段を有し、前記携帯型情報処理装置は、前記プログラムに従って、前記計時手段が計時する日時を、前記通信手段で受信した前記基準日時情報が示す日時に同期させる手段を更に有することを特徴とする。
【００１２】
第８発明に係る情報記憶システムは、前記携帯型情報処理装置は、前記プログラムに従って、前記計時手段が計時する日時から前記終了日時までの期間の長さが所定値以下となった場合に、前記終了日時に係る情報を報知する手段と、前記プログラムに従って、前記終了日時を延長することの指示を受け付ける手段と、前記プログラムに従って、前記指示に応じて前記終了日時を延長する手段とを更に備えることを特徴とする。
【００１３】
第９発明に係るプログラムは、通信手段、計時手段及び位置を検出する位置検出手段を有する携帯型情報処理装置に、処理を実行させるプログラムにおいて、前記携帯型情報処理装置に、前記計時手段が計時する日時が予め定められた終了日時となったか否かを判定させる手順と、前記携帯型情報処理装置に、前記計時手段が計時する日時が前記終了日時となった場合に、随時前記位置検出手段が検出した位置を示す位置情報を生成する処理、及び生成した位置情報を外部へ送信する処理を停止させる手順とを含むことを特徴とする。
【００１４】
第１０発明に係るプログラムは、通信手段、計時手段及び位置を検出する位置検出手段を有する携帯型情報処理装置に、処理を実行させるプログラムにおいて、前記携帯型情報処理装置に、前記計時手段が計時する日時が予め定められた終了日時となったか否かを判定させる手順と、前記携帯型情報処理装置に、前記計時手段が計時する日時が前記終了日時となった場合に、随時前記位置検出手段が検出した位置を示す位置情報を生成する処理、前記計時手段が計時した、位置情報の生成に係る日時を示す日時情報を生成する処理、並びに生成した位置情報及び日時情報を外部へ送信する処理を停止させる手順とを含むことを特徴とする。
【００１５】
第１１発明に係るプログラムは、前記携帯型情報処理装置に、前記計時手段が計時する日時が予め定められた開始日時となった場合に、前記位置情報を生成する処理、及び生成した前記位置情報を外部へ送信する処理を開始させる手順を更に含むことを特徴とする。
【００１６】
第１２発明に係るプログラムは、情報を表示する表示手段を備える前記携帯型情報処理装置に、前記計時手段が計時する日時が前記開始日時から前記終了日時までの期間に含まれる間は、日時が前記期間に含まれていることを示す情報を前記表示手段で表示させる手順を更に含むことを特徴とする。
【００１７】
第１３発明に係るプログラムは、前記携帯型情報処理装置に、外部で計時された日時を示す基準日時情報を前記携帯型情報処理装置が前記通信手段で受信した場合に、前記計時手段が計時する日時を前記基準日時情報が示す日時に同期させる手順を更に含むことを特徴とする。
【００１８】
第１４発明に係るプログラムは、前記携帯型情報処理装置に、前記計時手段が計時する日時から前記終了日時までの期間の長さが所定値以下となった場合に、前記終了日時に係る情報を報知させる手順と、前記携帯型情報処理装置に、前記終了日時を延長することの指示を受け付け可能にさせる手順と、前記携帯型情報処理装置に、前記携帯型情報処理装置が前記指示を受け付けた場合に、前記終了日時を延長させる手順とを更に含むことを特徴とする。
【００１９】
第１、第３及び第９発明においては、携帯電話等の携帯型情報処理装置は、所定のプログラムを記憶し、プログラムに従って、携帯型情報処理装置の位置を随時検出して位置情報を生成し、生成した位置情報を携帯型情報処理装置外の記憶装置へ送信し、記憶装置は、位置情報の生成に係る日時を示す日時情報を取得し、位置情報及び日時情報を互いに関連付けて記憶する。また携帯型情報処理装置は、日時が所定の終了日時となった場合に、プログラムに従った位置情報の生成及び送信を停止する。
【００２０】
第２発明においては、被保険者が使用する携帯型情報処理装置は、保険契約に応じたプログラムをダウンロードし、ダウンロードしたプログラムに従って、保険契約期間の開始日時以降に、携帯型情報処理装置の位置を随時検出して位置情報を生成し、位置情報の検出に係る日時を示す日時情報を生成し、生成した位置情報及び日時情報を携帯型情報処理装置外の記憶装置へ送信する。記憶装置は位置情報及び日時情報を互いに関連付けて記憶する。また携帯型情報処理装置は、日時が保険契約期間の終了日時となった場合に、プログラムに従った位置情報及び日時情報の生成及び送信を停止する。
【００２１】
第４及び第１０発明においては、携帯電話等の携帯型情報処理装置は、所定のプログラムを記憶し、プログラムに従って、携帯型情報処理装置の位置を随時検出して位置情報を生成し、位置情報の検出に係る日時を示す日時情報を生成し、生成した位置情報及び日時情報を携帯型情報処理装置外の記憶装置へ送信し、記憶装置は位置情報及び日時情報を互いに関連付けて記憶する。また携帯型情報処理装置は、日時が所定の終了日時となった場合に、プログラムに従った位置情報及び日時情報の生成並びに送信を停止する。
【００２２】
第５及び第１１発明においては、携帯型情報処理装置に処理を行わせるプログラムは、処理の開始日時及び終了日時の情報を含んでおり、携帯型情報処理装置は、日時が開始日時となった以降に、プログラムに従って位置情報の生成及び送信の処理を行う。
【００２３】
第６及び第１２発明においては、携帯型情報処理装置は、開始日時から終了日時までの間の期間は、日時が前記期間に含まれていることを示す情報を液晶ディスプレイ等の表示手段に表示する。
【００２４】
第７及び第１３発明においては、携帯型情報処理装置外の計時装置は、日時を計時し、計時した日時を示す基準日時情報を携帯型情報処理装置へ送信し、携帯型情報処理装置は、内部で計時する日時を基準日時情報が示す日時に同期させる。
【００２５】
第８及び第１４発明においては、携帯型情報処理装置は、プログラムに従って、終了日時から所定期間内の日時となった場合に、終了日時に係る情報を使用者に報知し、終了日時を延長することの指示の受付を可能とし、終了日時の延長指示を受け付けた場合は、延長指示に応じて終了日時を延長する。
【発明の効果】
【００２６】
第１、第２、第３、第４、第９及び第１０発明にあっては、保険契約期間中の携帯型情報処理装置の位置を示す位置情報、及び位置情報の生成に係る日時を示す日時情報が記憶装置に記憶されるので、携帯型情報処理装置の使用者である被保険者が保険契約期間中にいつどこにいたかの情報を記録することができる。従って、旅行保険の保険契約中に確かに旅行に行っていた等、保険契約期間中の被保険者の行動を客観的に証明することが可能となる。
【００２７】
第５及び第１１発明にあっては、本発明のプログラムが保険契約期間の開始時間の情報を含んでおり、日時が開始時間となった場合に自動的に位置情報の生成及び送信を開始するので、保険契約期間内の被保険者の行動を確実に記録することができる。
【００２８】
第６及び第１２発明にあっては、保険契約期間内は、保険契約中であることを示す情報を携帯型情報処理装置に表示することによって、被保険者である携帯型情報処理装置の使用者は、保険がかけられていることを常に意識することができるようになる。
【００２９】
第７及び第１３発明にあっては、携帯型情報処理装置は、携帯型情報処理装置外での日時を示す基準日時情報を随時受信し、基準日時情報に同期して日時を計時するので、記憶装置で記憶される日時情報の信頼性が向上する。
【００３０】
第８及び第１４発明にあっては、保険契約期間の終了が間近であることを被保険者である携帯型情報処理装置の使用者が知ることができ、必要に応じて保険契約期間の延長を容易に行うことが可能となる等、本発明は優れた効果を奏する。
【発明を実施するための最良の形態】
【００３１】
以下本発明をその実施の形態を示す図面に基づき具体的に説明する。
図１は、本発明の情報記憶システムの概要を示す概念図である。図中１は、本発明の携帯型情報処理装置の一例である携帯電話である。携帯電話１は、無線通信を用いて通信ネットワークＮに接続が可能な構成となっている。通信ネットワークＮには、携帯電話１の使用者である被保険者が契約した保険内容に応じた報告プログラム（プログラム）２０を携帯電話１へ送信する保険契約サーバ装置（送信装置）２、及び携帯電話１の使用者である被保険者から報告された行動履歴を記憶する報告記憶装置（記憶装置）３が接続されている。保険契約サーバ装置２及び報告記憶装置３は、通信ネットワークＮを介して携帯電話１との間で通信が可能な構成となっている。
【００３２】
図２は、携帯電話１の内部構成例を示すブロック図である。携帯電話１は、演算を行うＣＰＵ１１と、演算に伴う一時的なデータを記憶するＲＡＭ１２と、携帯電話１の制御プログラムを記憶するＲＯＭ１３とを備えている。ＣＰＵ１１は、ＲＯＭ１３が記憶する制御プログラムに従って携帯電話１の動作の制御を行う。またＲＯＭ１３は、携帯電話１のＩＤ番号又は電話番号等の携帯電話１を識別するための識別情報を記憶している。また携帯電話１は、液晶ディスプレイ又はＥＬ（Electroluminescence ）ディスプレイ等の表示部（表示手段）１４とテンキー又はタッチパネル等の操作部１５とを備えている。操作部１５は、使用者の操作によって各種の指示を受け付け、表示部１４は、携帯電話１の動作に伴って必要な情報を表示する。
【００３３】
また携帯電話１は、通信ネットワークＮに対して無線通信を用いて情報の送受信を行う通信部（通信手段）１６を備えている。また携帯電話１は、ＧＰＳ（Global Positioning System ）を用いて携帯電話１の位置を検出するＧＰＳ処理部（位置検出手段）１７を備えている。ＧＰＳ処理部１７は、図示しないＧＰＳ衛星が送信するＧＰＳ信号を受信し、受信したＧＰＳ信号に基づいて携帯電話１の位置を検出する処理を行う構成となっている。なお、ＧＰＳ処理部１７は本発明の携帯型情報処理装置に必ずしも必要ではなく、携帯電話１は、後述するように、ＧＰＳ処理部１７を備えていない構成であっても本発明の携帯型情報処理装置として機能することは可能である。
【００３４】
更に携帯電話１は、時間を計測する計時部（計時手段）１８と、半導体メモリ又は小型のハードディスク等からなる記憶部（プログラム記憶手段）１９とを備えている。ＣＰＵ１１は、計時部１８が計測する日時を示す日時情報を生成することが可能となっている。また記憶部１９は、通信部１６が通信ネットワークＮを介して受信したデータを記憶する構成となっており、保険契約サーバ装置２から受信した報告プログラム２０を記憶することが可能な構成となっている。
【００３５】
報告プログラム２０は、本発明のプログラムであり、保険契約サーバ装置２は、携帯電話１の使用者である被保険者と保険会社との間で交わされた旅行保険又はスポーツ傷害保険等の保険契約に従って、保険期間の開始日時及び終了日時を示す情報を含んだ報告プログラム２０を携帯電話１へ通信ネットワークＮを介して送信する構成となっている。携帯電話１のＣＰＵ１１は、記憶部１９から報告プログラム２０をＲＡＭ１２へロードし、ロードした報告プログラム２０に従って、定期的に位置情報及び日時情報を報告記憶装置３へ通信ネットワークＮを介して通信部１６に送信させる構成となっている。報告記憶装置３は、携帯電話１から送信された位置情報及び日時情報を編集できないようにして記憶する構成となっている。また報告記憶装置３は、携帯電話１の使用者である被保険者の位置情報を通信ネットワークＮ経由で参照するために必要な位置情報参照用のウェブページを構成するためのデータを送信可能なウェブサーバ装置の機能を有している。
【００３６】
次に、以上の構成でなる本発明の情報記憶システムが実行する本発明の情報記憶方法及び被保険者位置情報記憶方法を説明する。携帯電話１の使用者は、まず、保険会社との間で旅行保険又はスポーツ傷害保険等の保険契約を行う。保険契約は、書面で契約を行ってもよく、また、保険契約サーバ装置２が保険契約用のウェブページを構成するためのデータを送信可能なウェブサーバ装置の機能を有しておき、携帯電話１から保険契約用のウェブページへアクセスして保険契約に必要な情報を保険契約サーバ装置２へ送信することによって保険契約を行う形態であってもよい。図３、図４、図５及び図６は、本発明の情報記憶システムが行う処理の手順を示すフローチャートである。保険契約が完了した後で、本発明の情報記憶システムは以下の処理を実行する。
【００３７】
携帯電話１のＣＰＵ１１は、まず、携帯電話１の電話番号又は保険契約番号等の携帯電話１を特定できる情報と共に、報告プログラム２０の要求を通信部１６に通信ネットワークＮを介して保険契約サーバ装置２へ送信させる（Ｓ１）。この処理は、例えば保険契約が書面で行われた場合は、保険契約の際に指定された保険契約番号を記録した電子メールを保険契約サーバ装置２へ送信するか、又は保険契約の際に指定されたＵＲＬ（Uniform Resource Locators ）で特定されるウェブページに携帯電話１でアクセスする等によって行う。また保険契約用のウェブページを用いて保険契約を行う場合は、保険契約の完了と共に、携帯電話１は報告プログラム２０の要求を保険契約サーバ装置２へ送信する。
【００３８】
保険契約サーバ装置２は、携帯電話１からの報告プログラム２０の要求を受信し（Ｓ２）、要求と共に送信された情報で特定できる保険契約の内容に応じた保険契約期間の開始日時及び終了日時を含む報告プログラム２０を生成し（Ｓ３）、生成した報告プログラム２０を通信ネットワークＮを介して携帯電話１へ送信する（Ｓ４）。
【００３９】
携帯電話１は、保険契約サーバ装置２から送信された報告プログラム２０を通信部１６で受信し（Ｓ５）、受信した報告プログラム２０を記憶部１９に記憶させる（Ｓ６）。ＣＰＵ１１は、報告プログラム２０をＲＡＭ１２にロードし、ＲＡＭ１２にロードした報告プログラム２０に従って以降の処理を実行する。ＣＰＵ１１は、次に、携帯電話１外の日時を示す基準日時情報の要求を通信部１６に通信ネットワークＮを介して報告記憶装置３へ送信させる（Ｓ７）。
【００４０】
報告記憶装置３は、日時を計時する機能を有しており、携帯電話１からの基準日時情報の要求を受信し（Ｓ８）、報告記憶装置３での日時を示す基準日時情報を通信ネットワークＮを介して携帯電話１へ送信する（Ｓ９）。このようにして、報告記憶装置３は、本発明に係る計時装置として機能する。
【００４１】
携帯電話１は、報告記憶装置３から送信された基準日時情報を通信部１６で受信し（Ｓ１０）、ＣＰＵ１１は、計時部１８が計時する携帯電話１内部の日時を、受信した基準日時情報が示す日時に同期させる（Ｓ１１）。ＣＰＵ１１は、次に、計時部１８が計時する日時が、報告プログラム２０が含む開始日時になったか否かを判定する（Ｓ１２）。計時部１８が計時する日時が未だ開始日時になっていない場合は（Ｓ１２：ＮＯ）、ＣＰＵ１１は、基準日時情報を受信してから所定時間が経過したか否かを判定する（Ｓ１３）。基準日時情報を受信してから未だ所定時間が経過していない場合は（Ｓ１３：ＮＯ）、基準日時情報を受信してから所定時間が経過したか否かの判定を定期的に繰り返す。基準日時情報を受信してから所定時間が経過した場合は（Ｓ１３：ＹＥＳ）、ＣＰＵ１１は、処理をステップＳ７へ戻し、所定時間が経過する都度、基準日時情報を受信する処理を行う。
【００４２】
ステップＳ１２で計時部１８が計時する日時が開始日時になった場合は（Ｓ１２：ＹＥＳ）、ＣＰＵ１１は、携帯電話１の使用者である被保険者の位置情報を通信ネットワークＮ経由で参照するために必要な位置情報参照用のウェブページを作成することの要求を通信部１６に報告記憶装置３へ送信させる（Ｓ１４）。報告記憶装置３は、位置情報参照用のウェブページ作成の要求を受信し（Ｓ１５）、ウェブページを構成するために必要なデータを作成して記憶することにより、位置情報参照用のウェブページを作成する（Ｓ１６）。報告記憶装置３は、次に、作成した位置情報参照用のウェブページのＵＲＬを、電子メール等を用いて携帯電話１へ送信する（Ｓ１７）。またこのとき報告記憶装置３は、被保険者が保険を契約した保険会社が所有するサーバ装置等、通信ネットワークＮに接続された図示しない特定の情報処理装置へ位置情報参照用のウェブページのＵＲＬを送信する。なお、報告記憶装置３は、保険契約サーバ装置２が報告プログラム２０を携帯電話１へ送信する段階で、保険契約サーバ装置２からの指示を受信して位置情報参照用のウェブページを作成する処理を行ってもよい。
【００４３】
携帯電話１は、報告記憶装置３から送信された位置情報参照用のウェブページのＵＲＬを受信し（Ｓ１８）、受信したＵＲＬを記憶部１９で記憶する。ＣＰＵ１１は、報告プログラム２０の内容に応じて、保険契約期間中であることを示す保険の情報を、壁紙、アイコン又は文字等の形で表示部１４に表示させる（Ｓ１９）。保険の情報を表示部１４で表示することによって、被保険者である携帯電話１の使用者は、保険がかけられていることを常に意識することができる。なお、携帯電話１は、保険の情報を表示部１４に表示させるのではなく、表示部１４の色を変えるか又は携帯電話１が備える図示しない所定の発光手段を発光させる等、その他の方法で保険契約中であることを使用者に通知する構成であってもよい。ＣＰＵ１１は、次に、ＧＰＳ処理部１７に携帯電話１の位置を検出させ、ＧＰＳ処理部が検出した位置を示す位置情報を生成する（Ｓ２０）。なお、ＣＰＵ１１は後述するようにＧＰＳを用いずに位置情報を生成する処理を行ってもよい。ＣＰＵ１１は、次に、位置情報を生成した日時を計時部１８に計時させ、計時部１８が計時した日時を示す日時情報を生成する（Ｓ２１）。ＣＰＵ１１は、次に、携帯電話１を特定できる情報と共に、生成した位置情報及び日時情報を通信部１６に通信ネットワークＮを介して報告記憶装置３へ送信させる（Ｓ２２）。
【００４４】
報告記憶装置３は、携帯電話１から送信された位置情報及び日時情報を受信し（Ｓ２３）、携帯電話１を特定する情報と共に位置情報及び日時情報を互いに関連付けて記憶する（Ｓ２４）。報告記憶装置３は、更に、位置情報参照用のウェブページを構成するためのデータを更新することによって、位置情報が示す位置及び日時情報が示す日時を互いに関連付けて位置情報参照用のウェブページに記録する（Ｓ２５）。報告記憶装置３は、次に、報告記憶装置３での日時を計時し、計時した日時を示す基準日時情報を携帯電話１へ送信する（Ｓ２６）。
【００４５】
携帯電話１は、報告記憶装置３から送信された基準日時情報を通信部１６で受信し（Ｓ２７）、ＣＰＵ１１は、計時部１８が計時する携帯電話１内部の日時を、受信した基準日時情報が示す日時に同期させる（Ｓ２８）。ＣＰＵ１１は、次に、計時部１８が計時する日時が、報告プログラム２０が含む終了日時になったか否かを判定する（Ｓ２９）。計時部１８が計時する日時が未だ終了日時になっていない場合は（Ｓ２９：ＮＯ）、ＣＰＵ１１は、終了日時までの期間の長さが予め定められた所定値以下となっているか否かを判定する（Ｓ３０）。終了日時までの期間の長さが所定値より大きい場合は（Ｓ３０：ＮＯ）、ＣＰＵ１１は、位置情報を前回生成してから所定時間が経過したか否かを判定する（Ｓ３１）。位置情報を生成してから未だ所定時間が経過していない場合は（Ｓ３１：ＮＯ）、位置情報を前回生成してから所定時間が経過したか否かの判定を定期的に繰り返す。位置情報を前回生成してから所定時間が経過した場合は（Ｓ３１：ＹＥＳ）、ＣＰＵ１１は、処理をステップＳ２０へ戻し、所定時間が経過する都度、位置情報及び日時情報を生成して報告記憶装置３へ送信する処理を行う。
【００４６】
ステップＳ３０で終了日時までの期間の長さが所定値以下である場合は（Ｓ３０：ＹＥＳ）、保険契約の終了日時が間近であることを表示部１４に表示させる（Ｓ３２）。なお、携帯電話１は、表示部１４に表示するのではなく、所定の音声を発生する又は図示しない発光手段を発光させる等のその他の方法を用いて保険契約の終了日時が間近であることを報知する形態であってもよい。ＣＰＵ１１は、次に、使用者が操作部１５を操作することで保険契約の延長指示を入力するための入力画面を表示部１４に表示させて、保険契約の延長指示の受付を待ち受ける（Ｓ３３）。使用者が操作部１５を操作して延長不可を入力する等により、保険契約の延長指示の受付がなかった場合は（Ｓ３３：ＮＯ）、ＣＰＵ１１は、処理をステップＳ３１へ進める。使用者が操作部１５を操作することにより、保険契約の延長指示を受け付けた場合は（Ｓ３３：ＹＥＳ）、ＣＰＵ１１は、保険契約の延長要求を通信部１６に保険契約サーバ装置２へ送信させる（Ｓ３４）。
【００４７】
保険契約サーバ装置２は、携帯電話１から送信された保険契約の延長要求を受信し（Ｓ３５）、保険契約期間を延長するように保険契約を更新する処理を実行する（Ｓ３６）。保険契約サーバ装置２は、次に、保険契約を更新したことを示す更新情報を携帯電話１へ送信する（Ｓ３７）。
【００４８】
携帯電話１は、保険契約サーバ装置２から送信された更新情報を通信部１６で受信し（Ｓ３８）、ＣＰＵ１１は、記憶部１９で記憶している報告プログラム２０が含む終了日時を更新し（Ｓ３９）、処理をステップＳ３１へ進める。
【００４９】
ステップＳ２９で計時部１８が計時する日時が終了日時となった場合は（Ｓ２９：ＹＥＳ）、ＣＰＵ１１は、表示部１４で表示している保険の情報を非表示にする（Ｓ４０）。ＣＰＵ１１は、次に、報告プログラム２０に従った以上の処理を停止し（Ｓ４１）、処理を終了する。
【００５０】
以上の処理の後では、ＣＰＵ１１は、報告プログラム２０に従った処理は実行不可能となる。報告プログラム２０は、実行不可能なプログラムとして記憶部１９に記憶され、使用者が操作部１５を操作して報告プログラム２０の消去指示を入力した場合に、ＣＰＵ１１は、入力された消去指示に従って報告プログラム２０を記憶部１９から消去する。なお、報告プログラム２０は、ステップＳ３５の処理が終了した後で記憶部１９から自己消去する処理をＣＰＵ１１に実行させることが可能なプログラムであってもよい。また本発明の情報記憶システムは、保険契約期間の終了日時が経過した場合に、保険契約サーバ装置２が通信ネットワークＮを介して報告プログラム２０の消去コマンドを携帯電話１へ送信し、消去コマンドに応じてＣＰＵ１１が報告プログラム２０を記憶部１９から消去する処理を行う形態であってもよい。
【００５１】
以上の如くにして、携帯電話１は位置情報及び日時情報を報告記憶装置３へ送信し、報告記憶装置３は、位置情報及び日時情報を互いに関連付けて記憶する。報告記憶装置３は、携帯電話１の使用者からも保険会社からも編集できないようにして位置情報及び日時情報を記憶する構成となっている。通常、携帯電話１は被保険者である携帯電話１の使用者に携帯されており、保険契約期間中の携帯電話１の位置情報及び日時情報が報告記憶装置３に記憶されるので、保険契約期間中の被保険者の行動が記録されることになる。保険契約期間中の被保険者の位置及びその位置にいた日時は、携帯電話１又は通信ネットワークＮに接続された図示しないパーソナルコンピュータ（ＰＣ）等の情報処理装置を用いて、位置情報参照用のウェブページにアクセスすることにより、被保険者本人又は保険会社の担当者等の所定の権限を有する者が閲覧することができる。
【００５２】
なお、以上の説明では、保険契約者が被保険者と同一である場合に行う処理を説明したが、本発明で可能な処理はこれに限るものではなく、保険契約者が被保険者と一致しない場合であっても本発明を実施することは可能である。保険契約者が被保険者と一致しない場合は、被保険者が使用する携帯電話１を特定する情報を保険契約者が保険会社へ提供しておくことによって、携帯電話１を特定する情報を保険契約サーバ装置２が予め取得しておき、携帯電話１から報告プログラム２０の要求を送信することなく、保険契約サーバ装置２は取得してある情報が特定する携帯電話１へ報告プログラム２０を送信する処理を行ってもよい。
【００５３】
また、以上に説明した処理では、ＧＰＳを用いて携帯電話１の位置を検出する処理を行っているが、これに限るものではなく、その他の方法で携帯電話１の位置を検出する処理を行ってもよい。例えば、通信部１６が行う無線通信で利用する基地局の位置又は通信部１６が無線通信で通信可能なエリアに係る情報の送信要求を、通信ネットワークＮに接続された図示しない所定のサーバ装置へ通信部１６で送信し、基地局の位置又はエリアに係る情報を所定のサーバ装置が携帯電話１へ送信し、所定のサーバ装置から送信された情報を通信部１６で受信し、受信した情報に基づいてＣＰＵ１１で位置情報を作成する処理を行ってもよい。また携帯電話１内で位置情報を作成するのではなく、通信部１６が行う無線通信で利用する基地局の位置に基づいて、通信ネットワークＮ上の図示しない所定のサーバ装置で携帯電話１の推定位置を示す位置情報を作成し、作成した位置情報を所定のサーバ装置が携帯電話１へ送信し、通信部１６が受信した位置情報をＣＰＵ１１が利用する処理を行ってもよい。これらの処理を行うことによって、ＧＰＳ処理部１７を備えていない携帯電話１であっても、本発明の携帯型情報処理装置として機能することが可能となる。
【００５４】
また、以上に説明した処理では、計時部１８が計時した日時を示す日時情報をＣＰＵ１１で生成し、生成した日時情報を携帯電話１から報告記憶装置３へ送信することによって、本発明に係る記憶装置である報告記憶装置３が日時情報を取得する処理を行っているが、その他の方法で報告記憶装置３が本発明に係る日時情報を取得する処理を行ってもよい。例えば、ＣＰＵ１１が位置情報を生成する直前に通信部１６で受信した基準日時情報を、日時情報として位置情報と共に携帯電話１から報告記憶装置３へ送信し、報告記憶装置３は受信した基準日時情報を日時情報として位置情報に関連付けて記憶する処理を行ってもよい。また携帯電話１から日時情報を送信するのではなく、携帯電話１は位置情報を生成して報告記憶装置３へ送信し、報告記憶装置３は、位置情報を受信した場合に日時を計時して日時情報を生成し、生成した日時情報を位置情報の生成に係る日時を示す日時情報として位置情報に関連付けて記憶する処理を行ってもよい。
【００５５】
以上詳述した如く、本発明においては、携帯電話１は、保険契約に応じた報告プログラム２０を保険契約サーバ装置２からダウンロードし、報告プログラム２０に従って、携帯電話１の位置を随時検出して位置情報を生成し、位置情報の検出に係る日時を示す日時情報を生成し、生成した位置情報及び日時情報を報告記憶装置３へ送信し、報告記憶装置３は位置情報及び日時情報を互いに関連付けて記憶し、日時が所定の終了日時となった場合は、携帯電話１は、報告プログラム２０に従った位置情報及び日時情報の生成並びに送信を停止する。保険契約期間中の携帯電話１の位置情報及び日時情報が報告記憶装置３に記憶されるので、携帯電話１の使用者である被保険者が保険契約期間中にいつどこにいたかの情報を記録することができる。従って、旅行保険の保険契約中に確かに旅行に行っていた等、保険契約期間中の被保険者の行動を客観的に証明することが可能となる。
【００５６】
また本発明においては、報告プログラム２０が保険契約期間の開始時間の情報を含んでおり、日時が開始時間となった場合に自動的に位置情報及び日時情報の生成並びに送信を開始するので、保険契約期間内の被保険者の行動を確実に記録することができる。また本発明においては、保険契約期間内は、保険契約中であることを示す情報を携帯電話１に表示することによって、被保険者である携帯電話１の使用者は、保険がかけられていることを常に意識することができるようになる。また本発明においては、携帯電話１は、携帯電話１外での日時を示す基準日時情報を随時受信し、基準日時情報を基準として日時を計時するので、報告記憶装置３で記憶される日時情報の信頼性が向上する。更に本発明においては、保険契約期間の終了が間近であることを被保険者である携帯電話１の使用者が知ることができ、必要に応じて保険契約期間の延長を容易に行うことが可能となる。
【００５７】
なお、本実施の形態においては、単一の保険契約について位置情報の記憶を行う形態を示したが、本発明の情報記憶システムは、これに限るものではなく、同一の被保険者が契約している複数の保険契約について位置情報の記憶を行う形態であってもよい。この形態の場合は、保険契約サーバ装置２は、新たな保険契約を行う都度、保険契約期間の開始日時及び終了日時の情報を携帯電話１へ送信し、携帯電話１は、各保険契約に係る開始日時及び終了日時のタイムテーブルを作成して記憶し、各保険契約毎に、位置情報及び日時情報の生成、送信、位置情報及び日時情報の生成並びに送信の停止、保険契約の延長の夫々の処理をタイムテーブルに従って実行する。
【００５８】
また本実施の形態においては、携帯電話１が保険契約サーバ装置２及び報告記憶装置３と個々に通信を行う形態を示したが、本発明の情報記憶システムは、これに限るものではなく、携帯電話１は報告記憶装置３との間でのみ直接通信を行い、携帯電話１と保険契約サーバ装置２との間の通信は報告記憶装置３が中継する形態であってもよい。
【００５９】
また本実施の形態においては、報告記憶装置３が本発明に係る計時装置として機能する形態を示したが、本発明の情報記憶システムは、これに限るものではなく、報告記憶装置３とは別に通信ネットワークＮに接続された他のサーバ装置でなる計時装置を備えた形態であってもよい。また本実施の形態においては、報告記憶装置３が携帯電話１からの基準日時情報の要求及び携帯電話１から位置情報の送信に応じて基準日時情報を携帯電話１へ送信する形態を示したが、本発明の情報記憶システムは、これに限るものではなく、計時装置が定期的に基準日時情報を送信し、携帯電話１は定期的に送信された基準日時情報を受信する形態であってもよい。
【００６０】
また本実施の形態においては、本発明に係る携帯型情報処理装置として携帯電話の例を示したが、携帯型情報処理装置の形態はこれに限るものではなく、ＰＤＡ等、使用者が常時携帯する通信手段を備えたのその他の装置であってもよい。
【図面の簡単な説明】
【００６１】
【図１】本発明の情報記憶システムの概要を示す概念図である。
【図２】携帯電話の内部構成例を示すブロック図である。
【図３】本発明の情報記憶システムが行う処理の手順を示すフローチャートである。
【図４】本発明の情報記憶システムが行う処理の手順を示すフローチャートである。
【図５】本発明の情報記憶システムが行う処理の手順を示すフローチャートである。
【図６】本発明の情報記憶システムが行う処理の手順を示すフローチャートである。
【符号の説明】
【００６２】
１  携帯電話（携帯型情報処理装置）
１１  ＣＰＵ
１４  表示部（表示手段）
１６  通信部（通信手段）
１７  ＧＰＳ処理部（位置検出手段）
１８  計時部（計時手段）
１９  記憶部（プログラム記憶手段）
２  保険契約サーバ装置（送信装置）
２０  報告プログラム（プログラム）
３  報告記憶装置（記憶装置、計時装置）
Ｎ  通信ネットワーク
【図１】
2006318307.tif 000003
【図２】
2006318307.tif 000004
【図３】
2006318307.tif 000005
【図４】
2006318307.tif 000006
【図５】
2006318307.tif 000007
【図６】
2006318307.tif 000008